(57)【要約】      （修正有）【課題】患者が服用すべき薬剤の用量を間違えたり、取り違えたりする事故の防止に寄与する薬袋を印刷する装置を提供する。【解決手段】処方薬の用法と用量と日数とを指示する処方せん情報を記憶する記憶手段と、薬袋を印刷するプリンタと、記憶した処方せん情報を参照し用法と用量と日数とが同じ処方薬をそれぞれまとめてグループに分類するとともにグループ毎に薬袋に印刷するデータを作成するデータ作成手段と、作成した薬袋印刷データを順次プリンタに送って印刷出力する制御手段とを備えた構成である。【選択図】図１
2005074017.tif 000002
【特許請求の範囲】
【請求項１】
処方薬の用法と用量と日数とを指示する処方せん情報を記憶する記憶手段と、薬袋を印刷するプリンタと、記憶した処方せん情報を参照し用法と用量と日数とが同じ処方薬をそれぞれまとめてグループに分類するとともにグループ毎に薬袋に印刷するデータを作成するデータ作成手段と、作成した薬袋印刷データを順次プリンタに送って印刷出力する制御手段とを備えた薬袋印刷装置。
【発明の詳細な説明】
【技術分野】
【０００１】
本発明は、患者が服用すべき薬剤の量を間違ってしまう事故の防止に寄与する薬袋を印刷する装置に関する。
【背景技術】
【０００２】
医療機関や薬局等において薬剤を詰めるための袋即ち薬袋に、入力された処方せんデータに基づいて患者の氏名や、薬の用法、用量さらに薬の外観を示す画像までも印刷する装置がある（特許文献１参照）。このような装置によれば、毎食後といった用法や１回に２錠といった用量の説明に加えて、薬の外観も薬袋にカラー印刷されるので、患者はどの薬をどれだけ飲めばよいかが容易に分るというものである。
【特許文献１】特開平９−１６９３２５
【発明の開示】
【発明が解決しようとする課題】
【０００３】
医療機関で処方される薬は、例えば飲み薬であっても２種類、３種類と複数種が同時に出されることが多い。従来はこれら複数種の薬が１つの薬袋に詰められて、その薬袋の表にそれぞれの薬の外観画像や、用法及び用量とが印刷または手書きされていた。そのため、同じように毎食後に服用するがそれぞれ１回に２錠飲む薬と３錠飲む薬が同じ薬袋に同封されることもあった。その場合、例え色・形が異なる薬であっても、患者はそれぞれの薬の用量を間違えたり、取り違えたりする事故が起こりやすかった。
【課題を解決するための手段】
【０００４】
本発明は、処方薬の用法と用量と日数とを指示する処方せん情報を記憶する記憶手段と、薬袋を印刷するプリンタと、記憶した処方せん情報を参照し用法と用量と日数とが同じ処方薬をそれぞれまとめてグループに分類するとともにグループ毎に薬袋に印刷するデータを作成するデータ作成手段と、作成した薬袋印刷データを順次プリンタに送って印刷出力する制御手段とを備え、上記課題を解決するものである。
【発明の効果】
【０００５】
本発明の薬袋印刷装置によれば、一緒に処方され用法も日数も同じ薬でも、その用量が異なればそれぞれに薬袋を印刷するようにしたので、用量が異なる薬は別々の薬袋に詰められて患者に手渡される。これにより、従来のように異なる用量の薬が同じ薬袋に詰められたことによる用量間違いや用量の取り違えといった事故が減らせるものである。患者は薬袋を取り上げたとき最初に用量を確認すれば、後は同じ薬袋に詰められた薬は同じ数ずつ飲めばよいので、作業が単純化されて負担が減るとともに勘違いによる間違いも減らせるものである。
【発明を実施するための最良の形態】
【０００６】
本発明の実施の形態における薬袋印刷装置の構成を図１に示す。薬袋印刷装置１０はプログラムを実行するＣＰＵ等で構成した主制御部１１と、ＲＡＭあるいはハードディスク装置等で構成した記憶手段１２と、入力制御部１５及び出力制御部１６とで構成している。入力制御部１５は、例えば電子薬歴装置や医療事務処理装置等の外部の計算機で構成した処方入力装置１９から、患者の処方データを取り込むものである。その際、処方データは通信回線を介して処方入力装置１９から受信してもよいし、処方入力装置１９が処方データを記録したフレキシブルディスク等の可搬記録媒体を介して取り込んでもよい。取り込まれたデータは主制御部１１が記憶手段１２に処方データ１３として記憶制御する。記憶手段１２にはまた薬袋印刷プログラム１４が記憶されている。薬袋印刷プログラム１４
は主制御部１１によって読み出されて実行されることで、記憶手段１２に記憶された処方データ１３を読み出し、後述するように薬を用量別にグループ分けし、それぞれの薬袋表面に印刷するデータを作成する薬袋印刷データ作成手段として機能する。作成された印刷データは出力制御部１６に渡され、薬袋プリンタ１７に送られて薬袋１８が印刷されるものである。
【０００７】
次に、薬袋印刷プログラム１４の処理手順を図２を参照して説明する。薬袋印刷プログラム１４は主制御部１１にローディングされて起動すると、記憶手段１２に記憶されている患者の処方データ１３を読み出す（ステップＳ１）。そして、先ず、１つの処方の中に含まれる薬剤について同じ用法で且つ同じ日数の薬剤別に大グループに分類する（同Ｓ２）。薬剤が処方されるときは必ず用法と用量と日数とが薬剤毎に指示されるので、そのうち毎食後や就寝前といった服用時点を指示する用法と、及び何日分の薬を出すかを示す日数とが共通する薬剤を集めてグループ化するのである。ここではこれを大グループと呼ぶ。
【０００８】
次に、同じ大グループに所属する薬剤について、用量が同じものどうしを集めて小グループに分類する（同Ｓ３）。その際、計数単位が「錠」、「Ｃ」、「包」と異なる錠剤、カプセル剤、分包剤であっても、例えば、それぞれ用量が「２錠」、「２Ｃ」、「２包」と同じ数であれば、同じ小グループにまとめるのである。そして、この小グループについて、薬袋に印刷するデータを作成する（同Ｓ４）。
【０００９】
ここで具体的に説明すると、図３に示す内容の処方せんの場合、用法の１日３回毎食後と日数７日分は処方された３種の薬に共通しているが、用量は薬Ａが１日に６錠、薬Ｂが１日に３錠そして薬Ｃ散が１日に１．５ｍｇとなっている。そこでこの３つの薬は用法と日数が同じなので同じ１つの大グループに先ず分類される。
【００１０】
ここで、処方せんに記載される量は１日当りの服用量である。従って、上記薬Ａであれば、１日３回に分けて服用するので、１回当りの服用量は２錠であるし、薬Ｂであれば１回１錠である。薬袋印刷プログラム１４はこれを自動計算して薬袋に印刷する用量とするのである。また、散剤の場合は、計算した１回当りの重量を薬剤師が薬包紙に包んで薬袋に詰めるので、１回当りの用量は１包である。
【００１１】
次に、用量が１回２錠の薬Ａだけを含む第１の小グループと、用量が１回１錠及び１回１包の薬Ｂと薬Ｃ散とを含む第２の小グループとに分けられる。即ち、１つの大グループの中に２つの小グループが含まれる階層構造に分類されるのである。そして、小グループのそれぞれについて薬袋を印刷するためのデータが作成される。図３に示した処方せんデータに基づいて作成した薬袋の印刷データの例を図４に示す。
【００１２】
尚、図４に示した処方せんデータの場合は用法と日数の組み合わせがすべての薬に共通して１種類であるが、実際の処方せんではこれに例えば疼痛時に服用する別の薬が加わったり、１日分だけ別の薬が出されたりすることがよくある。その場合は用法と日数が異なるので複数の大グループに薬が分けられることになり、それぞれの大グループでさらに用量に応じて小グループに分けられて、薬袋印刷データが作成されるものである。
【００１３】
そして、このように分類し印刷データを作成すると、順次その印刷データを薬袋プリンタ１７に送って薬袋１８を印刷出力する（同Ｓ５）。これは小グループの単位に薬袋１８を印刷することに相当する。すべての小グループについて薬袋１８の印刷が終ると、残りの大グループについても同様に、そこに含まれるすべての小グループの薬袋１８を順次印刷して終了する（同Ｓ６乃至Ｓ７）。
【００１４】
こうして印刷した薬袋１８には同じ用量の薬が詰められるので、患者は薬袋表面に印刷された用法・用量に従い、同封された全種の薬を同じ量ずつ服用すればよい。その結果、薬の用量を間違える事故が減るものと期待されるものである。
【図面の簡単な説明】
【００１５】
【図１】実施形態の薬袋印刷装置の構成を示すブロック図である。
【図２】薬袋印刷プログラムの処理手順を示すフローチャートである。
【図３】処方せんの記載例を示す図である。
【図４】薬袋印刷データの例を示す図である。
【符号の説明】
【００１６】
１０  薬袋印刷装置
１１  主制御部
１２  記憶手段
１３  処方データ
１４  薬袋印刷プログラム
１７  薬袋プリンタ
【図１】
2005074017.tif 000003
【図２】
2005074017.tif 000004
【図３】
2005074017.tif 000005
【図４】
2005074017.tif 000006